(57)【特許請求の範囲】
【請求項１】
パワー変換ユニットと、充電インターフェースとを含み、前記パワー変換ユニットは、前記充電インターフェースを介して、端末と充電回路を形成し、前記端末の電池に対して充電を行う電源アダプターであって、
前記電源アダプターは、異常検出ユニットと、異常処理ユニットとを更に含み、
前記異常検出ユニットは、前記充電回路に異常が発生したか否かを検出し、前記充電回路に異常が発生した場合、前記異常処理ユニットは、前記充電回路を制御し、保護状態に進入させ、
前記電源アダプターは、通信ユニットを更に含み、
前記充電回路に異常が発生した場合、前記通信ユニットは、前記端末に充電保護指示情報を送信し、前記端末に前記充電回路を制御することを指示し、保護状態に進入させる、
ことを特徴とする電源アダプター。
【請求項２】
前記充電インターフェースは、電源線と、データケーブルとを含み、
前記パワー変換ユニットは、前記充電インターフェースを介して、端末と充電回路を形成し、前記端末の電池に対して充電を行うことは、具体的には、前記パワー変換ユニットは、前記充電インターフェースにおける電源線を介して、前記端末と充電回路を形成し、前記端末の電池に対して充電を行うことを含み、
前記通信ユニットは、前記端末に充電保護指示情報を送信することは、具体的には、前記通信ユニットは、前記充電インターフェースにおけるデータケーブルを介して、前記端末に前記充電保護指示情報を送信することを含む、
ことを特徴とする請求項１に記載の電源アダプター。
【請求項３】
前記異常処理ユニットは、前記充電回路を制御し、保護状態に進入させることは、具体的には、
前記異常処理ユニットが前記電源アダプターの出力電圧を低下させること、或いは、
前記異常処理ユニットが前記電源アダプターの出力電流を低下させること、或いは、
前記異常処理ユニットが前記充電回路を遮断させることを含む、
ことを特徴とする請求項１または２に記載の電源アダプター。
【請求項４】
前記充電回路の異常としては、
前記電源アダプターの出力電圧が過電圧であること、前記電源アダプターの出力電流が過電流であること、前記電池の両端の電圧が過電圧であること、前記電池の両端の電流が過電流であること、及び前記電池の温度が高過ぎであることのうち少なくとも一つを含む、
ことを特徴とする請求項１または２に記載の電源アダプター。
【請求項５】
前記異常検出ユニットは、前記充電回路に異常が発生したか否かを検出することは、具体的に、
前記電源アダプターの出力電圧を検出し、
前記電源アダプターの出力電圧と電圧閾値とを比較して、
前記出力電圧が前記電圧閾値より大きい場合、前記電源アダプターの出力電圧が過電圧であり、前記充電回路には異常が発生したと確定することを含む、
ことを特徴とする請求項４に記載の電源アダプター。
【請求項６】
前記電源アダプターは、通信ユニットを更に含み、
前記電源アダプターの出力電圧が前記電圧閾値より小さい場合、前記通信ユニットは、前記端末に第１指示情報を送信し、前記第１指示情報は、前記電源アダプターの出力電圧を含み、当該電源アダプターの出力電圧は、前記端末に前記端末側で設定した電圧閾値に基づいて、再び前記電源アダプターの出力電圧が過電圧であるか否かを確定することを指示するのに用いられる、
ことを特徴とする請求項５に記載の電源アダプター。
【請求項７】
前記異常処理ユニットは、第１過電圧保護ユニットと、第２過電圧保護ユニットとを含み、
前記異常処理ユニットは、前記充電回路を制御し、保護状態に進入させることは、具体的に、
前記異常処理ユニットは、前記第１過電圧保護ユニットを介して、前記充電回路を制御し、保護状態に進入させることを含み、
前記第１過電圧保護ユニットが失効された時、前記異常処理ユニットは、前記第２過電圧保護ユニットを介して、前記充電回路を制御し、保護状態に進入させる、
ことを特徴とする請求項５又は６に記載の電源アダプター。
【請求項８】
前記異常検出ユニットは、前記充電回路に異常が発生したか否かを検出することは、具体的に、
前記電源アダプターの出力電流を検出し、
前記電源アダプターの出力電流と電流閾値とを比較し、
前記出力電流が前記電流閾値より大きい場合、前記電源アダプターの出力電流が過電流であり、前記充電回路には異常が発生したと確定することを含む、
ことを特徴とする請求項４に記載の電源アダプター。
【請求項９】
前記電源アダプターは、通信ユニットを更に含み、
前記電源アダプターの出力電流が前記電流閾値より小さい場合、前記通信ユニットは、前記端末に第２指示情報を送信し、前記第２指示情報は、前記電源アダプターの出力電流を含み、当該電源アダプターの出力電流は、前記端末に前記端末側で設定した電流閾値に基づいて、再び前記電源アダプターの出力電流が過電流であるか否かを確定することを指示するのに用いられる、
ことを特徴とする請求項８に記載の電源アダプター。
【請求項１０】
前記電源アダプターは、通信ユニットを更に含み、当該通信ユニットは、前記端末が検出した電池パラメーターを受信するのに用いられ、前記電池パラメーターは、前記電池の両端の電圧、或いは前記電池の両端の電流、或いは前記電池の温度を指示するのに用いられ、
前記異常検出ユニットは、前記充電回路に異常が発生したか否かを検出することは、具体的に、
前記異常検出ユニットは、前記通信ユニットが受信した前記電池パラメーターが予め設定した電池パラメーターの閾値より大きいか否かを確定し、
前記電池パラメーターが前記電池パラメーターの閾値より大きい場合、前記異常検出ユニットは、前記充電回路に異常が発生したと確定する、
ことを含むことを特徴とする請求項４に記載の電源アダプター。
【請求項１１】
電池と、充電インターフェースとを含み、前記充電インターフェースを介して、電源アダプターと充電回路を形成し、前記電池に対して充電を行う端末であって、
前記端末は、通信ユニットと、異常処理ユニットとを更に含み、
前記充電回路に異常が発生した場合、前記通信ユニットは、前記電源アダプターから充電保護指示情報を受信し、ここで、前記充電保護指示情報は、前記電源アダプターにより前記充電回路に異常が発生したと検出された場合、前記充電回路を保護状態に進入させるように制御するために送信され、
前記異常処理ユニットは、前記充電保護指示情報の指示に基づいて、前記充電回路を制御し、保護状態に進入させる、
ことを特徴とする端末。
【請求項１２】
前記充電インターフェースは、電源線と、データケーブルとを含み、
前記端末は、前記充電インターフェースを介して、電源アダプターと充電回路を形成し、前記電池に対して充電を行うことは、具体的に、
前記端末は、前記充電インターフェースにおける電源線を介して、前記電源アダプターと充電回路を形成し、前記電池に対して充電を行うことを含み、
前記通信ユニットは、前記電源アダプターから充電保護指示情報を受信することは、具体的に、
前記通信ユニットは、前記充電インターフェースにおけるデータケーブルを介して、前記電源アダプターから前記充電保護指示情報を受信することを含む、
ことを特徴とする請求項１１に記載の端末。
【請求項１３】
前記充電回路の異常としては、
前記電源アダプターの出力電圧が過電圧であること、前記電源アダプターの出力電流が過電流であること、前記電池の両端の電圧が過電圧であること、前記電池の両端の電流が過電流であること、及び前記電池の温度が高過ぎであることのうち少なくとも一つを含む、
ことを特徴とする請求項１１又は１２に記載の端末。
【請求項１４】
前記端末は、検出ユニットを更に含み、
前記検出ユニットは、前記電池の電池パラメーターを確定し、前記電池パラメーターは、前記電池の両端の電圧、或いは前記電池の両端の電流、或いは前記電池の温度を含み、
前記通信ユニットは、前記電源アダプターに前記電池パラメーターを指示する情報を送信するのにも用いられる、
ことを特徴とする請求項１３に記載の端末。
【請求項１５】
充電回路の異常の処理方法であって、
電源アダプターは、
前記電源アダプターと端末との間の充電回路に異常が発生したか否かを検出し、
前記充電回路に異常が発生した場合、前記電源アダプターは、前記充電回路を制御し、保護状態に進入させ、
前記電源アダプターは、前記端末に充電保護指示情報を送信し、前記端末に前記充電回路を制御し、保護状態に進入させることを指示する、
ことを含むことを特徴とする方法。
【請求項１６】
前記電源アダプターは、充電インターフェースを介して、前記端末に接続され、前記充電インターフェースは、充電に用いられる電源線と、データケーブルとを含み、
前記電源アダプターは、前記端末に充電保護指示情報を送信することは、
前記電源アダプターは、前記データケーブルを介して、前記端末に前記充電保護指示情報を送信することを含む、
ことを特徴とする請求項１５に記載の方法。
【請求項１７】
前記電源アダプターは、前記充電回路を制御し、保護状態に進入させることは、
前記電源アダプターが前記電源アダプターの出力電圧を低下させること、或いは、
前記電源アダプターが前記電源アダプターの出力電流を低下させること、或いは、
前記電源アダプターが前記充電回路を遮断させることを含む、
ことを特徴とする請求項１５又は１６に記載の方法。
【請求項１８】
前記充電回路の異常としては、
前記電源アダプターの出力電圧が過電圧であること、前記電源アダプターの出力電流が過電流であること、電池の両端の電圧が過電圧であること、前記電池の両端の電流が過電流であること、及び前記電池の温度が高過ぎであることのうち少なくとも一つを含む、
ことを特徴とする請求項１５又は１６に記載の方法。
【請求項１９】
前記電源アダプターは、前記電源アダプターと端末との間の充電回路に異常が発生したか否かを検出することは、
前記電源アダプターは、前記電源アダプターの出力電圧を検出し、
前記出力電圧が電圧閾値より大きい場合、前記電源アダプターは、前記出力電圧が過電圧であり、前記充電回路には異常が発生したと確定することを含む、
ことを特徴とする請求項１８に記載の方法。
【請求項２０】
前記方法は、
前記電源アダプターの出力電圧が前記電圧閾値より小さい場合、前記電源アダプターは、前記端末に第１指示情報を送信することを更に含み、前記第１指示情報は、前記電源アダプターの出力電圧を含み、当該電源アダプターの出力電圧は、前記端末に前記端末側で設定した電圧閾値に基づいて、再び前記電源アダプターの出力電圧が過電圧であるか否かを確定することを指示するのに用いられる、
ことを特徴とする請求項１９に記載の方法。
【請求項２１】
前記電源アダプターは、前記電源アダプターと端末との間の充電回路に異常が発生したか否かを検出することは、
前記電源アダプターは、前記電源アダプターの出力電流を検出し、
前記出力電流が電流閾値より大きい場合、前記電源アダプターは、前記出力電流が過電流であり、前記充電回路には異常が発生したと確定することを含む、
ことを特徴とする請求項１８に記載の方法。
【請求項２２】
前記方法は、
前記電源アダプターの出力電流が前記電流閾値より小さい場合、前記電源アダプターは、前記端末に第２指示情報を送信することを更に含み、前記第２指示情報は、前記電源アダプターの出力電流を含み、当該電源アダプターの出力電流は、前記端末に前記端末側で設定した電流閾値に基づいて、再び前記電源アダプターの出力電流が過電流であるか否かを確定することを指示するのに用いられる、
ことを特徴とする請求項２１に記載の方法。
【請求項２３】
前記方法は、
前記端末が検出した電池パラメーターを受信することを更に含み、前記電池パラメーターは、前記電池の両端の電圧、或いは前記電池の両端の電流、或いは前記電池の温度を指示するのに用いられ、
前記電源アダプターは、前記充電回路を制御し、保護状態に進入させることは、
前記電源アダプターは、前記電池パラメーターが予め設定した電池パラメーターの閾値より大きいか否かを確定し、
前記電池パラメーターが前記電池パラメーターの閾値より大き場合、前記電源アダプターは、前記充電回路には異常が発生したと確定することを含む、
ことを特徴とする請求項１８に記載の方法。
【請求項２４】
充電回路の異常の処理方法であって、
電源アダプターと端末との間の充電回路に異常が発生した場合、前記端末は、前記電源アダプターから充電保護指示情報を受信し、ここで、前記充電保護指示情報は、前記電源アダプターにより前記充電回路に異常が発生したと検出された場合、前記充電回路を保護状態に進入させるように制御するために送信され、
前記端末は、前記充電保護指示情報の指示に基づいて、前記充電回路を制御し、保護状態に進入させる、
ことを含むことを特徴とする方法。
【請求項２５】
前記電源アダプターは、充電インターフェースを介して、前記端末に接続され、前記充電インターフェースは、充電に用いられる電源線と、データケーブルとを含み、
前記端末は、前記電源アダプターから充電保護指示情報を受信することは、
前記端末は、前記充電インターフェースにおけるデータケーブルを介して、前記電源アダプターから前記充電保護指示情報を受信すること、
を含むことを特徴とする請求項２４に記載の方法。
【請求項２６】
前記充電回路の異常としては、
前記電源アダプターの出力電圧が過電圧であること、前記電源アダプターの出力電流が過電流であること、電池の両端の電圧が過電圧であること、前記電池の両端の電流が過電流であること、及び前記電池の温度が高過ぎであることのうち少なくとも一つを含む、
ことを特徴とする請求項２４又は２５に記載の方法。
【請求項２７】
前記方法は、
前記端末は、前記電池の電池パラメーターを確定することを更に含み、前記電池パラメーターは、前記電池の両端の電圧、或いは前記電池の両端の電流、或いは前記電池の温度を含み、
前記端末は、前記電源アダプターに前記電池パラメーターを指示するのに用いられる情報を送信する、
ことを特徴とする請求項２６に記載の方法。
【発明の詳細な説明】
【技術分野】
【０００１】
本発明の実施例は、充電に関し、且つより具体的には、電源アダプター、端末及び充電回路の異常の処理方法に関する。
【背景技術】
【０００２】
目下、多数の電子機器における電池は、電子機器における充電インターフェースを介して、外部も電源アダプターに接続され、充電を実現している。電池充電過程において、充電時間を短縮させるために、従来の技術は、充電電流を増大させることにより、電池に対する急速充電を行う目的を達成している。但し、たとえ慣例的な定電圧出力方式或いは充電電流を増大させる方式を用いて電池に対して充電を行うとしても、若し充電回路に異常か発生した場合、例えば、電源アダプターの出力電圧の過電圧、及び/或いは出力電流の過電流が発生した場合、端末における電池を破損するようになる。従来の技術では、充電回路の異常に対する検出及び処理ができなく、充電過程における安全性が低い方である。
【発明の概要】
【０００３】
本発明の実施例は、電源アダプター、端末及び充電回路の異常の処理方法を提供することにより、充電過程の安全性を向上させる。
【０００４】
第１の方面としては、電源アダプターを提供する。当該電源アダプターは、パワー変換ユニットと、充電インターフェースとを含む。前記パワー変換ユニットは、前記充電インターフェースを介して、端末と充電回路を形成し、前記端末の電池に対して充電を行う。前記電源アダプターは、異常検出ユニットと、異常処理ユニットとを更に含む。その中で、前記異常検出ユニットは、前記充電回路に異常が発生したか否かを検出し、前記充電回路に異常が発生した場合、前記異常処理ユニットは、前記充電回路を制御し、保護状態に進入させる。
【０００５】
第１の方面を結合して、第１の方面の一つの実施形態において、前記電源アダプターは、通信ユニットを更に含む。前記充電回路に異常が発生した場合、前記通信ユニットは、前記端末に充電保護指示情報を送信し、前記端末に前記充電回路を制御することを指示し、保護状態に進入させる。
【０００６】
第１の方面或いはその上記の実施形態の中での任意の一つを結合して、第１の方面のもう一つの実施形態において、前記充電インターフェースは、電源線と、データケーブルとを含む。前記パワー変換ユニットは、前記充電インターフェースを介して、端末と充電回路を形成し、前記端末の電池に対して充電を行うことは、具体的には、前記パワー変換ユニットは、前記充電インターフェースにおける電源線を介して、前記端末と充電回路を形成し、前記端末の電池に対して充電を行うことを含む。前記通信ユニットは、前記端末に充電保護指示情報を送信することは、具体的には、前記通信ユニットは、前記充電インターフェースにおけるデータケーブルを介して、前記端末に前記充電保護指示情報を送信することを含む。
【０００７】
第１の方面或いはその上記の実施形態の中での任意の一つを結合して、第１の方面のもう一つの実施形態において、前記異常処理ユニットは、前記充電回路を制御し、保護状態に進入させることは、具体的には、前記異常処理ユニットが前記電源アダプターの出力電圧を低下させること、前記異常処理ユニットが前記電源アダプターの出力電流を低下させること、或いは前記異常処理ユニットが前記充電回路を遮断させることを含む。
【０００８】
第１の方面或いはその上記の実施形態の中での任意の一つを結合して、第１の方面のもう一つの実施形態において、前記充電回路の異常としては、下記の中での少なくとも一つを含む。前記電源アダプターの出力電圧が過電圧であること、前記電源アダプターの出力電流が過電流であること、前記電池の両端の電圧が過電圧であること、前記電池の両端の電流が過電流であること、及び前記電池の温度が高過ぎであること。
【０００９】
第１の方面或いはその上記の実施形態の中での任意の一つを結合して、第１の方面のもう一つの実施形態において、前記異常検出ユニットは、前記充電回路に異常が発生したか否かを検出することは、具体的には、前記電源アダプターの出力電圧を検出し、前記電源アダプターの出力電圧と電圧閾値とを比較し、前記出力電圧が前記電圧閾値より大きい場合、前記電源アダプターの出力電圧が過電圧であり、前記充電回路には異常が発生したことであることを含む。
【００１０】
第１の方面或いはその上記の実施形態の中での任意の一つを結合して、第１の方面のもう一つの実施形態において、前記電源アダプターは、通信ユニットを更に含む。前記電源アダプターの出力電圧が前記電圧閾値より小さい場合、前記通信ユニットは、前記端末に第１指示情報を送信する。前記第１指示情報は、前記電源アダプターの出力電圧を含む。当該電源アダプターの出力電圧は、前記端末に前記端末側で設定した電圧閾値に基づいて、再び前記電源アダプターの出力電圧が過電圧であるか否かを確定することを指示するのに用いられる。
【００１１】
第１の方面或いはその上記の実施形態の中での任意の一つを結合して、第１の方面のもう一つの実施形態において、前記異常処理ユニットは、第１過電圧保護ユニットと、第２過電圧保護ユニットとを含む。前記異常処理ユニットは、前記充電回路を制御し、保護状態に進入させることは、具体的には、前記異常処理ユニットは、前記第１過電圧保護ユニットを介して、前記充電回路を制御し、保護状態に進入させ、前記第１過電圧保護ユニットが失効された時、前記異常処理ユニットは、前記第２過電圧保護ユニットを介して、前記充電回路を制御し、保護状態に進入させることを含む。
【００１２】
第１の方面或いはその上記の実施形態の中での任意の一つを結合して、第１の方面のもう一つの実施形態において、前記異常検出ユニットは、前記充電回路に異常が発生したか否かを検出することは、具体的には、前記電源アダプターの出力電流を検出し、前記電源アダプターの出力電流と電流閾値とを比較し、前記出力電流が前記電流閾値より大きい場合、前記電源アダプターの出力電流が過電流であり、前記充電回路には異常が発生したことであることを含む。
【００１３】
第１の方面或いはその上記の実施形態の中での任意の一つを結合して、第１の方面のもう一つの実施形態において、前記電源アダプターは、通信ユニットを更に含む。前記電源アダプターの出力電流が前記電流閾値より小さい場合、前記通信ユニットは、前記端末に第２指示情報を送信する。前記第２指示情報は、前記電源アダプターの出力電流を含む。当該電源アダプターの出力電流は、前記端末に前記端末側で設定した電流閾値に基づいて、再び前記電源アダプターの出力電流が過電流であるか否かを確定することを指示するのに用いられる。
【００１４】
第１の方面或いはその上記の実施形態の中での任意の一つを結合して、第１の方面のもう一つの実施形態において、前記電源アダプターは、通信ユニットを更に含む。当該通信ユニットは、前記端末が検出した電池パラメーターを受信するのに用いられる。前記電池パラメーターは、前記電池の両端の電圧、前記電池の両端の電流、或いは前記電池の温度を指示するのに用いられる。前記異常検出ユニットは、前記充電回路に異常が発生したか否かを検出することは、具体的には、前記異常検出ユニットは、前記通信ユニットが受信した前記電池パラメーターが予め設定した電池パラメーターの閾値より大きいか否かを確定し、前記電池パラメーターが前記電池パラメーターの閾値より大き場合、前記異常検出ユニットは、前記充電回路には異常が発生したと確定することを含む。
【００１５】
第２の方面としては、端末を提供する。当該端末は、電池と、充電インターフェースとを含む。前記端末は、前記充電インターフェースを介して、電源アダプターと充電回路を形成し、前記電池に対して充電を行う。前記端末は、通信ユニットと、異常処理ユニットとを更に含む。その中で、前記充電回路に異常が発生した場合、前記通信ユニットは、前記電源アダプターから充電保護指示情報を受信する。前記異常処理ユニットは、前記充電保護指示情報の指示に基づいて、前記充電回路を制御し、保護状態に進入させる。
【００１６】
第２の方面を結合して、第２の方面の実施形態において、前記充電インターフェースは、電源線と、データケーブルとを含む。前記端末は、前記充電インターフェースを介して、電源アダプターと充電回路を形成し、前記電池に対して充電を行うことは、具体的には、前記端末は、前記充電インターフェースにおける電源線を介して、前記電源アダプターと充電回路を形成し、前記電池に対して充電を行うことを含む。前記通信ユニットは、前記電源アダプターから充電保護指示情報を受信することは、具体的には、前記通信ユニットは、前記充電インターフェースにおけるデータケーブルを介して、前記電源アダプターから前記充電保護指示情報を受信することを含む。
【００１７】
第２の方面或いはその上記の実施形態の中での任意の一つを結合して、第２の方面のもう一つの実施形態において、前記充電回路の異常としては、下記の中での少なくとも一つを含む。前記電源アダプターの出力電圧が過電圧であること、前記電源アダプターの出力電流が過電流であること、前記電池の両端の電圧が過電圧であること、前記電池の両端の電流が過電流であること、及び前記電池の温度が高過ぎであること。
【００１８】
第２の方面或いはその上記の実施形態の中での任意の一つを結合して、第２の方面のもう一つの実施形態において、前記端末は、検出ユニットを更に含む。前記検出ユニットは、前記電池の電池パラメーターを確定する。前記電池パラメーターは、前記電池の両端の電圧、前記電池の両端の電流、或いは前記電池の温度を含む。前記通信ユニットは、前記電源アダプターに前記電池パラメーターを指示する情報を送信するのにも用いられる。
【００１９】
第３の方面としては、充電回路の異常の処理方法を提供する。当該方法は、電源アダプターは、前記電源アダプターと端末との間の充電回路に異常が発生したか否かを検出し、前記充電回路に異常が発生した場合、前記電源アダプター前記充電回路を制御し、保護状態に進入させることを含む。
【００２０】
第３の方面を結合して、第３の方面の一つの実施形態において、前記方法は、前記電源アダプターは、前記端末に充電保護指示情報を送信し、前記端末に前記充電回路を制御することを指示し、保護状態に進入させることを更に含む。
【００２１】
第３の方面或いはその上記の実施形態中での任意の一つを結合して、第３の方面のもう一つの実施形態において、前記電源アダプターは、充電インターフェースを介して、前記端末に接続される。前記充電インターフェースは、充電に用いられる電源線と、データケーブルとを含む。前記電源アダプターは、前記端末に充電保護指示情報を送信することは、前記電源アダプターは、前記データケーブルを介して、前記端末に前記充電保護指示情報を送信することを含む。
【００２２】
第３の方面或いはその上記の実施形態中での任意の一つを結合して、第３の方面のもう一つの実施形態において、前記電源アダプターは、前記充電回路を制御し、保護状態に進入させることは、前記電源アダプターが前記電源アダプターの出力電圧をさげること、前記電源アダプターが前記電源アダプターの出力電流を低下させること、或いは、前記電源アダプターが前記充電回路を遮断させることを含む。
【００２３】
第３の方面或いはその上記の実施形態中での任意の一つを結合して、第３の方面のもう一つの実施形態において、前記充電回路の異常としては、下記の中での少なくとも一つを含む。前記電源アダプターの出力電圧が過電圧であること、前記電源アダプターの出力電流が過電流であること、前記電池の両端の電圧が過電圧であること、前記電池の両端の電流が過電流であること、及び前記電池の温度が高過ぎであること。
【００２４】
第３の方面或いはその上記の実施形態中での任意の一つを結合して、第３の方面のもう一つの実施形態において、前記電源アダプターは、前記電源アダプターと端末との間の充電回路に異常が発生したか否かを検出することは、前記電源アダプターは、前記電源アダプターの出力電圧を検出し、前記出力電圧が電圧閾値より大きい場合、前記電源アダプターは、前記出力電圧が過電圧であり、前記充電回路には異常が発生したと確定することを含む。
【００２５】
第３の方面或いはその上記の実施形態中での任意の一つを結合して、第３の方面のもう一つの実施形態において、前記方法は、前記電源アダプターの出力電圧が前記電圧閾値より小さい場合、前記電源アダプターは、前記端末に第１指示情報を送信することを更に含む。前記第１指示情報は、前記電源アダプターの出力電圧を含む。当該電源アダプターの出力電圧は、前記端末に前記端末側で設定した電圧閾値に基づいて、再び前記電源アダプターの出力電圧が過電圧であるか否かを確定することを指示するのに用いられる。
【００２６】
第３の方面或いはその上記の実施形態中での任意の一つを結合して、第３の方方面のもう一つの実現形態において、前記電源アダプターは、前記電源アダプターと端末との間の充電回路に異常が発生したか否かを検出することは、前記電源アダプターは、前記電源アダプターの出力電流を検出し、前記出力電流が電流閾値より大きい場合、前記電源アダプターは、前記出力電流が過電流であり、前記充電回路には異常が発生したと確定することを含む。
【００２７】
第３の方面或いはその上記の実施形態中での任意の一つを結合して、第３の方面のもう一つの実施形態において、前記方法は、当前記電源アダプターの出力電流が前記電流閾値より小さい場合、前記電源アダプターは、前記端末に第２指示情報を送信することを更に含む。前記第２指示情報は、前記電源アダプターの出力電流を含む。当該電源アダプターの出力電流は、前記端末に前記端末側で設定した電流閾値に基づいて、再び前記電源アダプターの出力電流が過電流であるか否かを確定することを指示するのに用いられる。
【００２８】
第３の方面或いはその上記の実施形態中での任意の一つを結合して、第３の方面のもう一つの実施形態において、前記方法は、前記端末が検出した電池パラメーターを受信することを更に含む。前記電池パラメーターは、前記電池の両端の電圧、前記電池の両端の電流、或いは前記電池の温度を指示するのに用いられる。前記電源アダプターは、前記充電回路を制御し、保護状態に進入させることは、前記電源アダプターは、前記電池パラメーターが予め設定した電池パラメーターの閾値より大きいか否かを確定し、前記電池パラメーターが前記電池パラメーターの閾値より大き場合、前記電源アダプターは、前記充電回路には異常が発生したと確定することを含む。
【００２９】
第４の方面としては、充電回路の異常の処理方法を提供する。当該方法は、電源アダプターと端末との間の充電回路に異常が発生した場合、前記端末は、前記電源アダプターから充電保護指示情報を受信し、前記端末は、前記充電保護指示情報の指示に基づいて、前記充電回路を制御し、保護状態に進入させることを含む。
【００３０】
第４の方面を結合して、第４の方面の一つの実施形態において、前記電源アダプターは、充電インターフェースを介して、前記端末に接続される。前記充電インターフェースは、充電に用いられる電源線と、データケーブルとを含む。前記端末は、前記電源アダプターから充電保護指示情報を受信することは、前記端末は、前記充電インターフェースにおけるデータケーブルを介して、前記電源アダプターから前記充電保護指示情報を受信することを含む。
【００３１】
第４の方面或いはその上記の実施形態の中での任意の一つを結合して、第４の方面のもう一つの実施形態において、前記充電回路の異常としては、下記の中での少なくとも一つを含む。前記電源アダプターの出力電圧が過電圧であること、前記電源アダプターの出力電流が過電流であること、前記電池の両端の電圧が過電圧であること、前記電池の両端の電流が過電流であること、及び前記電池の温度が高過ぎであること。
【００３２】
第４の方面或いはその上記の実施形態の中での任意の一つを結合して、第４の方面のもう一つの実施形態において、前記方法は、前記端末は、前記電池の電池パラメーターを確定することを更に含む。前記電池パラメーターは、前記電池の両端の電圧、前記電池の両端の電流、或いは前記電池の温度を含む。前記端末は、前記電源アダプターに前記電池パラメーターを指示するのに用いられる情報を送信する。
【００３３】
本発明の実施例において、電源アダプターは、異常検出ユニットを介して、充電回路に異常が発生したか否かを検出し、充電回路に異常が発生したことを検出した時、異常処理ユニットを介して、当該充電回路を制御し、保護状態に進入させることにより、充電過程における安全性を向上させる。
【図面の簡単な説明】
【００３４】
本発明の実施例の技術案をより明らかに説明するために、以下、本発明の実施例に必要な図面に対する簡単な紹介を行うことにする。理解できるのは、下記の説明はただ本発明の一部の実施例であり、当業者であれば、創造的な労働を行わない前提で、これらの図面に基づいて、ほかの図面を更に取得することができる。
【図１】本発明の実施例における電源アダプターの例示的な構成図である。
【図２】本発明の実施例における端末の例示的なブロック図である。
【図３】本発明の実施例における充電回路の異常の処理方法の例示的なフローチャートである。
【図４】本発明の実施例における充電回路の異常の処理方法の例示的なフローチャートである。
【発明を実施するための形態】
【００３５】
以下、本発明の実施例における図面を結合しながら、本発明の実施例における技術案をより明らかに、且つ全面的に説明することにする。理解できるのは、説明される実施例は、本発明の一部の実施例であり、全部の実施例ではない。本発明における実施例に基づいて、当業者により創造的な労働を行わない前提で取得されたすべての他の実施例は、皆本発明の保護範囲に属する。
【００３６】
図１は、本発明の実施例における電源アダプターの例示的な構成図である。図１の電源アダプター１０は、パワー変換ユニット１１と、充電インターフェース１２とを含む。パワー変換ユニット１１は、充電インターフェース１２を介して、端末と充電回路を形成し、端末の電池に対して充電を行う。電源アダプター１０は、異常検出ユニット１３と、異常処理ユニット１４とを更に含む。その中で、異常検出ユニット１３は、充電回路に異常が発生したか否かを検出する。充電回路に異常が発生した場合、異常処理ユニット１４は、充電回路を制御し、保護状態に進入させる。
【００３７】
理解すべきことは、上記の異常処理ユニット１４は、充電回路を制御し、保護状態に進入させることは、異常処理ユニット１４が電源アダプター１０の出力電圧をさげることと、異常処理ユニット１４が電源アダプター１０の出力電流を低下させること、或いは、異常処理ユニット１４が充電回路を遮断させることを含むことができる。
【００３８】
本発明の実施例において、電源アダプターは、異常検出ユニットを介して、充電回路に異常が発生したか否かを検出し、充電回路に異常が発生したことを検出した時、異常処理ユニットを介して、当該充電回路を制御し、保護状態に進入させることにより、充電過程における安全性を向上させる。
【００３９】
選択可能に、一つの実施例として、電源アダプター１０は、通信ユニットを更に含むことができる。充電回路に異常が発生した場合、通信ユニットは、端末に充電保護指示情報を送信し、端末に充電回路を制御することを指示し、保護状態に進入させる。
【００４０】
本発明の実施例において、充電回路に異常が発生した場合、電源アダプターは、主動的に充電回路を制御し、保護状態に進入させるばかりでなく、端末にも充電回路を制御することを通知し、保護状態に進入させる。これにより、たとえ電源アダプターの異常処理ユニットが失効され、充電回路を制御して保護状態に進入させることが出来なくなったとしても、端末により充電回路を制御し、保護状態に進入させることができ、充電過程における安全性を更に向上させる。
【００４１】
選択可能に、一つの実施例として、充電インターフェース１２は、電源線と、データケーブルとを含むことができる。パワー変換ユニット１１は、充電インターフェース１２を介して、端末と充電回路を形成し、端末の電池に対して充電を行うことは、パワー変換ユニット１１は、充電インターフェース１２における電源線を介して、端末と充電回路を形成し、端末の電池に対して充電を行うことを
含むことができる。通信ユニットは、端末に充電保護指示情報を送信することは、通信ユニットは、充電インターフェース１２におけるデータケーブルを介して、端末に充電保護指示情報を送信することを含むことができる。
【００４２】
例えば、充電インターフェースは、ＵＳＢ(Ｕｎｉｖｅｒｓａｌ  Ｓｅｒｉａｌ  Ｂｕｓ、ユニバーサルシリアルバス)インターフェース或いはｍｉｃｒｏ ＵＳＢインターフェースであり、上記の電源線は、ＵＳＢインターフェースにおける電源線、例えば、＋５Ｖ及び−５Ｖ電源線等であり、上記のデータケーブルは、ＵＳＢインターフェースにおけるデータケーブル、例えば、Ｄ＋線及びＤ−線などである。
【００４３】
理解すべきことは、充電回路の異常を招く原因は様々である可能性がある。例えば、電源アダプターの出力電圧が過電圧であること、電源アダプターの出力電流が過電流であること、電池の両端の電圧が過電圧であること、電池の両端の電流が過電流であること、及び電池の温度が高過ぎであること等があり、異なる場合の検出方式は異なる可能性がある。以下、具体的な実施例を結合しながら、各種の異常状況及び其の検出方式について例を挙げて説明することにする。
【００４４】
選択可能に、一つの実施例として、異常検出ユニット１３は、充電回路に異常が発生したか否かを検出することは、電源アダプター１０の出力電圧を検出し、電源アダプター１０の出力電圧と電圧閾値とを比較し、出力電圧が電圧閾値より大きい場合、電源アダプター１０の出力電圧が過電圧であり、充電回路に異常が発生したことであることを含むことができる。
【００４５】
理解すべきことは、上記の電圧閾値は、電源アダプター１０及び端末の具体的なモデルに基づいて、設定されても良いし、経験に基づいて設定されても良い。
【００４６】
尚、電源アダプター１０は、通信ユニットを含むことができる。電源アダプター１０の出力電圧が電圧閾値より小さい場合、通信ユニットは、端末に第１指示情報を送信する。第１指示情報は、電源アダプター１０の出力電圧を含む。当該電源アダプター１０の出力電圧は、端末に端末側で設定した電圧閾値に基づいて、再び電源アダプター１０の出力電圧が過電圧であるか否かを確定することを指示するのに用いられる。
【００４７】
即ち、電源アダプター及び端末は、皆電源アダプターの出力電圧が過電圧であるか否かを検出すべきである。これにより、たとえ電源アダプターの検出結果にエラー(例えば、電源アダプターの異常検出ユニットに故障が発生)が発生したとしても、依然として端末により電源アダプターの出力電圧が過電圧であるか否かを検出でき、従って端末により充電回路を制御し、保護状態に進入させる。或いは、電源アダプター及び端末がマッチされた電源アダプター及び端末でない場合、電源アダプターが安全だと思う出力電圧が端末の受容力を超えている可能性が存在し、このため、電源アダプター及び端末が皆電源アダプターの出力電圧が過電圧であるか否かを検出することにより、このようは状況の発生を効果的に避けることができ、更には、充電過程における安全性を向上させる。
【００４８】
尚、異常処理ユニット１４は、余裕の過電圧処理ユニットを含むことができる。即ち、一つの過電圧処理ユニットが失効された時、異常処理ユニット１４は、他の過電圧処理ユニットを介して、充電回路を制御し、保護状態に進入させることができる。
【００４９】
選択可能に、もう一つの実施例として、異常検出ユニット１３は、充電回路に異常が発生したか否かを検出することは、電源アダプター１０の出力電流を検出し、電源アダプター１０の出力電流と電流閾値とを比較し、出力電流が電流閾値より大きい場合、電源アダプター１０の出力電流が過電流であり、充電回路には異常が発生したことであることを含むことができる。
【００５０】
理解すべきことは、上記の電流閾値は、電源アダプター１０及び端末の具体的なモデルに基づいて設定されても良いし、経験に基づいて設定されても良い。
【００５１】
尚、電源アダプター１０は、通信ユニットを含むことができる。電源アダプター１０の出力電流が電流閾値より小さい場合、通信ユニットは、端末に第２指示情報を送信する。第２指示情報は、電源アダプター１０の出力電流を含む。当該電源アダプター１０の出力電流は、端末に端末側で設定した電流閾値に基づいて、再び電源アダプター１０の出力電流が過電流であるか否かを確定することを指示するのに用いられる。
【００５２】
即ち、電源アダプター及び端末は、皆電源アダプターの出力電流が過電流であるか否かを検出すべきである。これにより、たとえ電源アダプターの検出結果にエラー(例えば、電源アダプターの検出回路に故障が発生)が発生したとしても、依然として端末により電源アダプターの出力電流が過電流であるか否かを検出でき、従って端末により充電回路を制御し、保護状態に進入させる。或いは、電源アダプター及び端末がマッチされた電源アダプター及び端末でない場合、電源アダプターが安全だと思う出力電流が端末の受容力を超えている可能性が存在し、このため、電源アダプター及び端末が皆電源アダプターの出力電流が過電流であるか否かを検出することにより、このようは状況の発生を効果的に避けることができ、更には、充電過程における安全性を向上させる。
【００５３】
選択可能に、一つの実施例として、電源アダプター１０は、通信ユニットを更に含むことができる。当該通信ユニットは、端末が検出した電池パラメーターを受信するのに用いられる。電池パラメーターは、電池の両端の電圧、電池の両端の電流、或いは電池の温度を指示するのに用いられる。異常検出ユニット１３は、充電回路に異常が発生したか否かを検出することは、具体的には、異常検出ユニット１３は、通信ユニットが受信した電池パラメーターが予め設定した電池パラメーターの閾値より大きいか否かを確定し、電池パラメーターが電池パラメーターの閾値より大きい場合、異常検出ユニット１３は、充電回路に異常が発生したと確定することを含む。
【００５４】
例えば、電池パラメーターは、電池の両端の電圧であり、異常検出ユニット１３は、電池の両端の電圧が閾値より大きいか否かを確定する。電池の両端の電圧が当該閾値より大きい場合、異常検出ユニット１３は、電池の両端の電圧が過電圧であり、充電回路に異常か発生したと確定する。別の例として、電池パラメーターは、電池の両端の電流であり、異常検出ユニット１３は、電池の両端の電流が閾値より大きいか否かを確定する。電池の両端の電流が当該閾値より大き場合、異常検出ユニット１３は、電池の両端の電流が過電流であり、充電回路に異常か発生したと確定する。別の例として、電池パラメーターは、電池の温度であり、異常検出ユニット１３は、電池の温度が閾値より大きいか否かを確定する。電池の温度が当該閾値より大きい場合、異常検出ユニット１３は、電池の温度が高過ぎであり、充電回路に異常か発生したと確定する。
【００５５】
上記の内容においては、図１を結合しながら、本発明の実施例における電源アダプターを詳細に説明したが、以下では、図２を結合しながら、本発明の実施例における端末を詳細に説明することにする。
【００５６】
図２は、本発明の実施例における端末の例示的なブロック図である。図２における端末２０は、電池２１と、充電インターフェース２２とを含む。端末２０は、充電インターフェース２２を介して、電源アダプターと充電回路を形成し、電池２１に対して充電を行う。端末２０は、通信ユニット２３と、異常処理ユニット２４とを更に含む。その中で、充電回路に異常が発生した場合、通信ユニット２３は、電源アダプターから充電保護指示情報を受信し、異常処理ユニット２４は、充電保護指示情報の指示に基づいて、充電回路を制御し、保護状態に進入させる。
【００５７】
理解すべきことは、上記の異常処理ユニット２４は、充電保護指示情報の指示に基づいて、充電回路を制御し、保護状態に進入させることは、異常処理ユニット２４が充電保護指示情報の指示に基づいて、電源アダプターの入力電流をさげること、或いは、異常処理ユニット２４が、充電保護指示情報の指示に基づいて、電源アダプターの入力電圧を低下させること、或いは、異常処理ユニット２４は、充電保護指示情報の指示に基づいて、前記充電回路の遮断を制御することを含むことができる。
【００５８】
本発明の実施例において、電源アダプターと端末との間の充電回路に異常か発生した場合、端末の通信ユニットは、電源アダプターから充電保護指示情報を受信し、且つ充電保護指示情報の指示に基づいて、充電回路を制御し、保護状態に進入させることにより、充電過程における安全性を向上させる。
【００５９】
選択可能に、一つの実施例として、充電インターフェース２２は、電源線と、データケーブルとを含むことができる。端末２０は、充電インターフェース２２を介して、電源アダプターと充電回路を形成し、電池に対して充電を行うことは、端末２０は、充電インターフェース２２における電源線を介して、電源アダプターと充電回路を形成し、電池に対して充電を行うことを含むことができる。通信ユニット２３は、電源アダプターから充電保護指示情報を受信することは、通信ユニット２３は、充電インターフェース２２におけるデータケーブルを介して、電源アダプターから充電保護指示情報を受信することを含むことができる。
【００６０】
例えば、充電インターフェースは、ＵＳＢ(Ｕｎｉｖｅｒｓａｌ  Ｓｅｒｉａｌ  Ｂｕｓ、ユニバーサルシリアルバス)インターフェース或いはｍｉｃｒｏ ＵＳＢインターフェースであり、上記の電源線は、ＵＳＢインターフェースにおける電源線、例えば、＋５Ｖ及び−５Ｖ電源線等であり、上記のデータケーブルは、ＵＳＢインターフェースにおけるデータケーブル、例えば、Ｄ＋線及びＤ−線などである。
【００６１】
選択可能に、一つの実施例として、前記充電回路の異常としては、下記の中での少なくとも一つを含む。前記電源アダプターの出力電圧が過電圧であること、前記電源アダプターの出力電流が過電流であること、前記電池の両端の電圧が過電圧であること、前記電池の両端の電流が過電流であること、及び前記電池の温度が高過ぎであること。
【００６２】
選択可能に、一つの実施例として、端末２０は、検出ユニットを更に含む。検出ユニットは、電池の電池パラメーターを確定するのに用いられる。電池パラメーターは、電池の両端の電圧と、電池の両端の電流、或いは電池の温度とを含むことができる。通信ユニット２３は、電源アダプターに電池パラメーターを指示するのに用いられる情報を送信するのにも用いられる。
【００６３】
図３は、本発明の実施例における充電回路の異常の処理方法の例示的なフローチャートである。図３の方法は、図１における電源アダプターにより実行され、重複を避けるために、ここでは詳細に記述しないことにする。図３の方法は、下記のステップ３１０〜３２０を含む。
【００６４】
ステップ３１０：電源アダプターは、電源アダプターと端末との間の充電回路に異常が発生したか否かを検出する。
【００６５】
ステップ３２０：充電回路に異常が発生した場合、電源アダプターは、充電回路を制御し、保護状態に進入させる。
【００６６】
本発明の実施例において、電源アダプターは、異常検出ユニットを介して、充電回路に異常が発生したか否かを検出し、充電回路に異常が発生したことを検出した時、異常処理ユニットを介して、当該充電回路を制御し、保護状態に進入させることにより、充電過程における安全性を向上させる。
【００６７】
選択可能に、一つの実施例として、図３の方法は、電源アダプターは、端末に充電保護指示情報を送信し、端末に充電回路を制御することを指示し、保護状態に進入させることを更に含むことができる。
【００６８】
選択可能に、一つの実施例として、電源アダプターは、充電インターフェースを介して、端末に接続される。充電インターフェースは、充電に用いられる電源線と、データケーブルとを含む。電源アダプターは、端末に充電保護指示情報を送信することは、電源アダプターは、データケーブルを介して、端末に充電保護指示情報を送信することを含む。
【００６９】
選択可能に、一つの実施例として、電源アダプターは、充電回路を制御し、保護状態に進入させることは、電源アダプターが電源アダプターの出力電圧を低下させること、電源アダプターが電源アダプターの出力電流を低下させること、或いは、電源アダプターが充電回路を遮断させることを含む。
【００７０】
選択可能に、一つの実施例として、充電回路の異常としては、下記の中での少なくとも一つを含む。前記電源アダプターの出力電圧が過電圧であること、前記電源アダプターの出力電流が過電流であること、前記電池の両端の電圧が過電圧であること、前記電池の両端の電流が過電流であること、及び前記電池の温度が高過ぎであること。
【００７１】
選択可能に、一つの実施例として、電源アダプターは、電源アダプターと端末との間の充電回路に異常が発生したか否かを検出することは、電源アダプターは、電源アダプターの出力電圧を検出し、出力電圧が電圧閾値より大きい場合、電源アダプターは、出力電圧が過電圧であり、充電回路に異常か発生したと確定することを含む。
【００７２】
選択可能に、一つの実施例として、図３の方法は、電源アダプターの出力電圧が電圧閾値より小さい場合、電源アダプターは、端末に第１指示情報を送信することを更に含むことができる。第１指示情報は、電源アダプターの出力電圧を含む。当該電源アダプターの出力電圧は、端末に端末側で設定した電圧閾値に基づいて、再び電源アダプターの出力電圧が過電圧であるか否かを確定することを指示するのに用いられる。
【００７３】
選択可能に、一つの実施例として、電源アダプターは、電源アダプターと端末との間の充電回路に異常が発生したか否かを検出することは、電源アダプターは、電源アダプターの出力電流を検出し、出力電流が電流閾値より大きい場合、電源アダプターは、出力電流が過電流であり、充電回路に異常か発生したと確定することを含む。
【００７４】
選択可能に、一つの実施例として、図３の方法は、電源アダプターの出力電流が電流閾値より小さい場合、電源アダプターは、端末に第２指示情報を送信することを更に含むことができる。第２指示情報は、電源アダプターの出力電流を含む。当該電源アダプターの出力電流は、端末に端末側で設定した電流閾値に基づいて、再び電源アダプターの出力電流が過電流であるか否かを確定することを指示するのに用いられる。
【００７５】
選択可能に、一つの実施例として、図３の方法は、受信端末が検出した電池パラメーターを更に含むことができる。電池パラメーターは、電池の両端の電圧、電池の両端の電流、或いは電池の温度を指示するのに用いられる。電源アダプターは、充電回路を制御し、保護状態に進入させることは、電源アダプターは、電池パラメーターが予め設定した電池パラメーターの閾値より大きいか否かを確定し、電池パラメーターが電池パラメーターの閾値より大きい場合、電源アダプターは、充電回路に異常か発生したと確定することを含む。
【００７６】
図４は、本発明の実施例における充電回路の異常の処理方法の例示的なフローチャートである。図４の方法は、図２における端末により実行でき、重複を避けるために、ここでは詳細に記述しないことにする。
【００７７】
ステップ４１０：電源アダプターと端末との間の充電回路に異常か発生した時、端末は、電源アダプターから充電保護指示情報を受信する。
【００７８】
ステップ４２０：端末は、充電保護指示情報の指示に基づいて、充電回路を制御し、保護状態に進入させる。
【００７９】
本発明の実施例において、電源アダプターと端末との間の充電回路に異常か発生した場合、端末の通信ユニットは、電源アダプターから充電保護指示情報を受信し、充電回路を制御し、保護状態に進入させることにより、充電過程における安全性を向上させる。
【００８０】
選択可能に、一つの実施例として、電源アダプターは、充電インターフェースを介して、端末に接続され、充電インターフェースは、充電に用いられる電源線と、データケーブルとを含む。端末は、電源アダプターから充電保護指示情報を受信することは、端末は、充電インターフェースにおけるデータケーブルを介して、電源アダプターから充電保護指示情報を受信することを含む。
【００８１】
選択可能に、一つの実施例として、充電回路の異常としては、下記の中での少なくとも一つを含む。電源アダプターの出力電圧が過電圧であること、電源アダプターの出力電流が過電流であること、電池の両端の電圧が過電圧であること、電池の両端の電流が過電流であること、及び電池の温度が高過ぎであること。
【００８２】
選択可能に、一つの実施例として、図４の方法は、端末は、電池の電池パラメーターを確定することを更に含むことができる。電池パラメーターは、電池の両端の電圧、電池の両端の電流、或いは電池の温度を含む。端末は、電源アダプターに電池パラメーターを指示するのに用いられる情報を送信する。
【００８３】
当業者にとって、本文において開示される実施例を結合しながら説明された各例示のユニット及びアルゴリズムステップは、電子ハードウェア或いはコンピュータソフトウェア、及び電子ハードウェアの結合によって実現できることが意識できる。これらの機能がハードウェアで実行されるか、それともソフトウェアの方式で実行されるかは、技術案の特定応用及び設計の制約条件によって決まる。専門の技術者であれば、個々の特定の応用に対して、異なる方法を使って説明された機能を実現することができるが、このような実現は、本発明の範囲を超えていると理解されてはいけない。
【００８４】
当業者にとって、説明を便利に又は簡便にするために、上記の説明におけるシステム、装置及びユニットの具体的な作業過程は、前述された方法の実施例における対応する過程を参照できることが明確に理解でき、ここでは、記述を繰り返さないことにする。
【００８５】
本出願が提供するいくつかの実施例において、理解すべきことは、掲示されたシステム、装置及び方法は、他の方式を介して実現できる。例えば、以上において説明された装置実施例は、ただ例示的なものであり、例えば、前記ユニットの区画は、ただロジック機能の区画であり、実際実現される時、他の区画方式を備えることができ、例えば、複数のユニット或いはモジュールが別のもう一つのシステムに結合或いは集積されることができ、或いはある特徴は無視してもかまわなく、或いは実行しなくても差しさわりない。もう一つは、示された或いは討論された相互のカップリングや、直接カップリングや、通信接続は、いくつかのインターフェース、装置或いはユニットを通じた間接カップリング或いは通信接続であって可能であり、電気的、機械的或いは他の形式であっても可能である。
【００８６】
前記の分離部材として説明されたユニットは、物理的に分かれていても、或いは物理的に分かれていなくても皆可能であり、ユニットとして示された部材は、物理ユニットであっても、或いは物理ユニットでなくても皆可能であり、即ち、一つの箇所に位置されても可能であり、或いは、いくつかのネットワークユニットに分布されていても可能である。実際の需要に基づいて、その中での一部或いは全部のユニットを選んで本実施例方案の目的を実現できる。
【００８７】
その他、本発明の個々の実施例における各機能ユニットは、一つの処理ユニットに集積されてもよく、個々のユニットが単独に物理的に存在してもよく、又は二つ或いは二つ以上のユニットが一つのユニットの中に集積されていてもよい。
【００８８】
前記機能が若しソフトウェア機能ユニットの形式で実現され、且つ独立の製品として販売や使用される時、コンピューターの読み出し可能な記憶媒体に保存されることができる。このような理解に基づいて、本発明の技術案は、本質的に或いは従来の技術に対して貢献した部分或いは当該技術案の部分は、ソフトウェア製品の形式で具現できる。当該コンピューター製品は、一つの記憶媒体に記憶され、一つのコンピューター設備（パソコン、サーバー、或いはネットワーク設備等）が本発明の個々の実施例に記述された方法の全部或いは一部のステップをを実行するように、幾つかの指令を含む。前記の記憶媒体は、ＵＳＢフラッシュディスク、モバイルハードディスクド、読み出し専用メモリ(ROM、Read Only Memory)、ランダムアクセスメモリー(RAM、Random Access Memory)、ディスク或いはＣＤなどのプログラムコードを記憶できる媒体を含む。
【００８９】
以上、記述された内容は、本発明の具体的な実施方式に過ぎなく、本発明の保護範囲はこれらに限定されない。当業者であれば、本発明が掲示する技術範囲において、変更或いは切り替えを容易に案ずることができ、全部本発明の保護範囲に含まれるべきである。従って、本発明の保護範囲は、前記特許請求の範囲に準ずるべきである。
【図１】
0006325118.tif 000002
【図２】
0006325118.tif 000003
【図３】
0006325118.tif 000004
【図４】
0006325118.tif 000005